(57)【特許請求の範囲】
【請求項１】
足挿入口を有する足形に縫製されて防水靴の表胛の内側に配置される防水インナーであって、
少なくとも足挿入口の前側の足甲部と後側の踵部と足底とで相互に縫合される足形外側パーツと足形内側パーツとを備えて構成されており、
前記足甲部における前記足形外側パーツと前記足形内側パーツとの縫合線は、足挿入口から爪先部へ向かって延び、途中の足指付け根部付近で足形の親指側の内側へ向かって屈折していることを特徴とする防水靴用防水インナー。
【請求項２】
前記足形外側パーツは、爪先外側縫合部および爪先内側縫合部を有し、
前記爪先外側縫合部および爪先内側縫合部をそれぞれ縫合して、先端部が細い形状の爪先部が形成されることを特徴とする請求項１に記載の防水靴用防水インナー。
【請求項３】
前記足形外側パーツは、爪先横向縫合部および爪先縦向縫合部を有し、
前記爪先横向縫合部および爪先縦向縫合部は、つながって位置しており、これら爪先横向縫合部および爪先縦向縫合部をそれぞれ縫合して、先端部が丸い形状の爪先部が形成されることを特徴とする請求項１に記載の防水靴用防水インナー。
【発明の詳細な説明】
【技術分野】
【０００１】
本発明は、防水靴の表胛の内側に配置される防水インナーに関し、詳しくは、ショートブーツタイプの防水靴に適した防水靴用防水インナーに関するものである。
【背景技術】
【０００２】
防水性を高めた防水靴として、表胛の内側に防水インナーを配置して組み込んだ二重構造の防水靴が従来一般に知られている（例えば特許文献１参照）。そして、この種の防水靴に組み込まれる防水インナーとして、外甲側内装体と内甲側内装体とを相互に縫合して土踏まず部の立体形状にフィットする足形に縫製したシューズ内装体が従来一般に知られている（例えば特許文献２参照）。
【先行技術文献】
【特許文献】
【０００３】
【特許文献１】特開２００３−２６５２０２号公報
【特許文献２】特許第３６４２５５３号公報
【発明の概要】
【発明が解決しようとする課題】
【０００４】
ところで、特許文献２に記載された「シューズ内装体」のような従来の防水インナーは、靴型（ラストモールド）の土踏まず部の立体形状にフィットする足形に縫製されてはいるものの、足挿入口の前側の足甲部が爪先部まで直線状に縫合されており、ラストモールドの足甲部の立体形状にフィットする足形には縫製されていない。このため、ラストモールドに防水インナー（シューズ内装体）を吊り込む際、防水インナー（シューズ内装体）の足甲部にしわが寄り易い。このような傾向は、ショートブーツタイプの防水靴において顕著であり、防水インナー（シューズ内装体）の足甲部にしわが寄ると、防水靴としたときに、履き心地が損なわれてしまい、さらに表胛の外観も損なわれるという問題がある。
【０００５】
本発明は、このような従来技術の問題点に対応してなされたものであり、足甲部にしわの寄らない状態でラストモールドに容易に吊り込むことができる防水靴用防水インナーを提供することを課題とする。
【課題を解決するための手段】
【０００６】
このような課題を解決するため、本発明に係る防水靴用防水インナーは、足挿入口を有する足形に縫製されて防水靴の表胛の内側に配置される防水インナーであって、少なくとも足挿入口の前側の足甲部と後側の踵部と足底とで相互に縫合される足形外側パーツと足形内側パーツとを備えて構成されており、足甲部における足形外側パーツと足形内側パーツとの縫合線は、足挿入口から爪先部へ向かって延び、途中の足指付け根部付近で足形の内側へ向かって屈折していることを特徴とする。ここで、「足形の内側」とは、足形の親指側をいうものとする。
【０００７】
本発明に係る防水靴用防水インナーは、足挿入口の前側の足甲部における足形外側パーツと足形内側パーツとの縫合線が足挿入口から爪先部へ向かって延び、途中の足指付け根部付近で足形の内側（親指側）へ向かって屈曲しているため、ラストモールドに防水インナーを吊り込む際に、防水インナーの足甲部は無理なく伸縮するようになり、足甲部にはしわが寄らなくなる。
【０００８】
本発明に係る防水靴用防水インナーにおいて、足形外側パーツには、ラストモールドの細い爪先形状に合わせて、爪先外側縫合部および爪先内側縫合部を設け、それぞれを縫合して先端部が細い形状の爪先部を形成するようにしてもよいし、あるいは、ラストモールドの丸い爪先形状に合わせて、爪先横向縫合部および爪先縦向縫合部を設け、それぞれを縫合して先端部が丸い形状の爪先部を形成するようにしてもよい。
【発明の効果】
【０００９】
本発明に係る防水靴用防水インナーによれば、ラストモールドに防水インナーを吊り込む際に、足甲部にしわの寄らない状態で容易に吊り込むことができる。その結果、本発明の防水インナーを表胛の内側に配置してなる防水靴は、履き心地に優れ、防水靴の表胛の外観を美麗に保つことができる。
【図面の簡単な説明】
【００１０】
【図１】本発明の一実施形態に係る防水靴用防水インナーを備えた防水靴の足甲部の横断面図である。
【図２】図１に示した防水インナーを構成する足形外側パーツおよび足形内側パーツの展開図である。
【図３】図２に示した足形外側パーツと足形内側パーツとを相互に縫合した状態を足形外側パーツ側から見て示す側面図である。
【図４】図２に示した足形外側パーツと足形内側パーツとを相互に縫合した状態を足形内側パーツ側から見て示す側面図である。
【図５】一実施形態に係る防水靴用防水インナーの底面図である。
【図６】一実施形態に係る防水靴用防水インナーの平面図である。
【図７】図６に示した防水インナーの変形例を示す平面図である。
【図８】図７に示した防水インナーを構成する足形外側パーツおよび足形内側パーツの展開図である。
【図９】図８に示した足形外側パーツと足形内側パーツとを相互に縫合した状態を足形外側パーツ側から見て示す側面図である。
【図１０】図８に示した足形外側パーツと足形内側パーツとを相互に縫合した状態を足形外側パーツ側から見て示す側面図である。
【図１１】本発明の他の実施形態に係る防水靴用防水インナーの平面図である。
【図１２】図１１に示した防水インナーを構成する足形外側パーツおよび足形内側パーツの展開図である。
【図１３】図１２に示した足形外側パーツと足形内側パーツとを相互に縫合した状態を足形外側パーツ側から見て示す側面図である。
【図１４】図１２に示した足形外側パーツと足形内側パーツとを相互に縫合した状態を足形外側パーツ側から見て示す側面図である。
【図１５】図１１に示した防水インナーの底面図である。
【発明を実施するための形態】
【００１１】
以下、添付の図面を参照して本発明に係る防水靴用防水インナーの実施の形態を説明する。なお、本発明の防水靴用防水インナーは、左右対称に構成された一足の防水靴に対応して左右対称に構成されているため、例えば左足に着用される左側の防水靴に適用される左側の防水インナーについてのみ説明し、右側の防水インナーについては、説明を省略する。
【００１２】
一実施形態の防水靴用防水インナーは、例えば図１に示すような防水靴１、すなわち合成皮革などからなる表胛２およびメッシュ構造の中底３と一体にポリウレタンからなる本底４が射出成形される防水靴１を対象として、その防水性を高めるように、表胛２および中底３の内側に配置されて本底４と一体化される防水インナー５である。
【００１３】
この防水インナー５は、裏布材５Ａに表面機能層５Ｂが貼り合わされた２層構造となっている。裏布材５Ａは、例えば、フレンチパイル、無起毛トリコット、レーヨン、ナイロンなど、履き心地のよい適宜の織布、編布、不織布で構成されている。一方、表面機能層５Ｂは、少なくとも防水性を有する樹脂フィルム、例えばポリウレタン樹脂フィルム、あるいは防水性および透湿性を有するディアプレックス社製の“ディアプレックス”または東レ社製の“エントランス”などで構成されており、その厚さは５〜３００μｍ程度である。
【００１４】
ここで、一実施形態の防水インナー５は、図２に示すような展開形状を有する足形外側パーツ６と足形内側パーツ７とを図３〜図５に示すように適宜の縫合糸８を用いて相互に縫合することで、図６に示すような防水インナー５として構成される。
【００１５】
すなわち、防水インナー５は、図２に示す足形外側パーツ６の足甲縫合部６Ａと足形内側パーツ７の足甲縫合部７Ａとを縫合糸８により相互に縫合すると共に、足形外側パーツ６の踵外側縫合部６Ｂと足形内側パーツ７の踵内側縫合部７Ｂとを縫合糸８により相互に縫合することで、図３および図４に示すような足形に縫製される。
【００１６】
この防水インナー５は、先端部に細い形状の爪先部６Ｃを形成するように、足形外側パーツ６における爪先部６Ｃの小指側の外側に切り欠かれた爪先外側縫合部６Ｄと、爪先部６Ｃの親指側の内側に切り欠かれた爪先内側縫合部６Ｅとがそれぞれ縫合糸８により縫合され、かつ、足形外側パーツ６の足甲の外脇部分に切り欠かれた足甲外脇縫合部６Ｆが縫合糸８により縫合される。
【００１７】
このような防水インナー５は、図５に示すように、足形外側パーツ６の足底前外側縫合部６Ｇと足底前内側縫合部６Ｈとを縫合糸８により相互に縫合すると共に、足形外側パーツ６の足底後外側縫合部６Ｉと足形内側パーツ７の足底後内側縫合部７Ｃとを縫合糸８により縫合することで、図６に示すような足挿入口外側６Ｊおよび足挿入口内側７Ｄよりなる足挿入口を有する足形に縫製される。
【００１８】
すなわち、防水インナー５は、図１に示した本底４の射出成形に際して、足挿入口外側６Ｊおよび足挿入口内側７Ｄよりなる足挿入口から図示しないラストモールドに吊り込み可能な足形に縫製される。
【００１９】
ここで、図６に示すように、一実施形態の防水インナー５において、足挿入口外側６Ｊおよび足挿入口内側７Ｄよりなる足挿入口の前側の足甲部における足形外側パーツ６の足甲縫合部６Ａと足形内側パーツ７の足甲縫合部７Ａとの縫合線は、防水インナー５の中央部を爪先部６Ｃへ向かって直線状に延び、途中の足指付け根部付近で足形の親指側の内側へ向かって直線状に屈折している。すなわち、足甲縫合部６Ａ，７Ａの縫合線は、足中指の付け根部付近から足親指の付け根部付近へ向けて横方向に屈折している。
【００２０】
なお、一実施形態の防水インナー５においては、防水性を高めるように、足甲縫合部６Ａと足甲縫合部７Ａとの縫合面、踵外側縫合部６Ｂと踵内側縫合部７Ｂとの縫合面、爪先外側縫合部６Ｄの縫合面、爪先内側縫合部６Ｅの縫合面、足甲外脇縫合部６Ｆの縫合面、足底前外側縫合部６Ｇと足底前内側縫合部６Ｈとの縫合面、足底後外側縫合部６Ｉと足底後内側縫合部７Ｃとの縫合面に、それぞれ必要に応じてシーリングテープ９が貼着されている。
【００２１】
以上のように構成された一実施形態の防水靴用防水インナー５は、図１に示した防水靴１の本底４の射出成形に際し、図示しないラストモールドに吊り込まれることで、表胛２と共に本底４に一体化される。なお、このとき、防水インナー５と表胛２とを別々にラストモールドに吊り込むことも可能であるが、防水インナー５と表胛２を、例えば足挿入口付近で、あらかじめ縫合などで一体化した後、ラストモールドに吊り込んでもよい。
【００２２】
ここで、一実施形態の防水インナー５では、図６に示すように、足甲部における足形外側パーツ６の足甲縫合部６Ａと足形内側パーツ７の足甲縫合部７Ａとの縫合線は、防水インナー５の中央部を爪先部６Ｃへ向かって直線状に延び、途中の足中指の付け根部付近から足親指の付け根部付近へ向けて横方向内側に屈折している。このため、例えば、図１に示した防水靴１の本底４の射出成形にあたって、図示しないラストモールドに防水インナー５を吊り込む際には、防水インナー５が無理なく容易にラストモールドに吊り込まれ、その際、防水インナー５の足甲部には殆どしわが寄らなくなる。
【００２３】
すなわち、一実施形態の防水インナー５は、ラストモールドに吊り込む際に、足甲部にしわの寄らない状態で容易に吊り込むことができる。その結果、一実施形態の防水インナー５を表胛２の内側に配置してなる防水靴１は、履き心地に優れ、防水靴１の表胛２の外観を美麗に保つことができる。
【００２４】
本発明に係る防水靴用防水インナーは、前述した一実施形態に限定されるものではない。例えば、図６に示した防水インナー５は、図７に示すような防水インナー５に変更することができる。この防水インナー５は、相互に対向する切欠き凹部６Ｋ，７Ｅにより、衝撃緩衝材などを挿入するための抜き穴が踵の底に形成されたものである。
【００２５】
そのための構造として、図８〜図１０に示すように、足形外側パーツ６の足底後外側縫合部６Ｉと踵外側縫合部６Ｂとの間の部位には切欠き凹部６Ｋが形成され、同様の切欠き凹部７Ｅが足形内側パーツ７の足底後内側縫合部７Ｃと踵内側縫合部７Ｂとの間の部位に形成されている。
【００２６】
図７に示した防水インナー５も、図６に示した防水インナー５と同様の作用効果を奏することができる。なお、図７に示した防水インナー５は、図１に示した防水靴１の本底４の射出成形により、抜き穴の周縁部が本底４に密着するため、防水性に問題はない。
【００２７】
また、図７に示した防水インナー５は、図１１に示すような防水インナー１５に変更することができる。この防水インナー１５は、先端部が丸い形状の爪先部１６Ｃを有するものであり、そのための構造として、足形外側パーツ１６には、爪先横向縫合部１６Ｄおよび爪先縦向縫合部１６Ｅが形成されている。
【００２８】
ここで、防水インナー１５は、図１２に示すような展開形状の足形外側パーツ１６および足形内側パーツ１７で構成されており、足形外側パーツ１６には、図７および図８に示した足形外側パーツ６の足甲縫合部６Ａ、踵外側縫合部６Ｂ、足甲外脇縫合部６Ｆ、足底前外側縫合部６Ｇ、足底前内側縫合部６Ｈ、足底後外側縫合部６Ｉ、足挿入口外側６Ｊおよび切欠き凹部６Ｋに対応する足甲縫合部１６Ａ、踵外側縫合部１６Ｂ、足甲外脇縫合部１６Ｆ、足底前外側縫合部１６Ｇ、足底前内側縫合部１６Ｈ、足底後外側縫合部１６Ｉ、足挿入口外側１６Ｊおよび切欠き凹部１６Ｋが形成されている。
【００２９】
一方、足形内側パーツ１７には、図７および図８に示した足形内側パーツ７の足甲縫合部７Ａ、踵内側縫合部７Ｂ、足底後内側縫合部７Ｃ、足挿入口内側７Ｄおよび切欠き凹部７Ｅに対応する足甲縫合部１７Ａ、踵内側縫合部１７Ｂ、足底後内側縫合部１７Ｃ、足挿入口内側１７Ｄおよび切欠き凹部１７Ｅが形成されている。
【００３０】
図１２に示す足形外側パーツ１６および足形内側パーツ１７は、足形外側パーツ１６の足甲縫合部１６Ａと足形内側パーツ１７の足甲縫合部１７Ａとが相互に縫合され、足形外側パーツ１６の踵外側縫合部１６Ｂと足形内側パーツ１７の踵内側縫合部１７Ｂとが相互に縫合される。また、足形外側パーツ１６の爪先横向縫合部１６Ｄおよび爪先縦向縫合部１６Ｅが縫合され、かつ、足形外側パーツ１６の足甲の外脇部分に切り欠かれた足甲外脇縫合部１６Ｆが縫合されることにより、図１３および図１４に示すような丸い形状の爪先部１６Ｃを有する防水インナー１５として縫製される。
【００３１】
そして、図１５に示すように、足形外側パーツ１６の足底前外側縫合部１６Ｇと足底前内側縫合部１６Ｈとを縫合すると共に、足形外側パーツ１６の足底後外側縫合部１６Ｉと足形内側パーツ１７の足底後内側縫合部１７Ｃとを縫合することで、図１１に示すような足挿入口外側１６Ｊおよび足挿入口内側１７Ｄよりなる足挿入口を有する足形に縫製される。
【００３２】
このような丸い形状の爪先部１６Ｃを有する防水インナー１５においても、足形外側パーツ１６の足甲縫合部１６Ａと足形内側パーツ１７の足甲縫合部１７Ａとの縫合線が足中指の付け根部付近から足親指の付け根部付近へ向けて横方向内側に屈折しているため、図示しないラストモールドに防水インナー１５を吊り込む際には、防水インナー１５が無理なく容易にラストモールドに吊り込まれ、その際、防水インナー１５の足甲部には殆どしわが寄らなくなる。従って、図１１に示した防水インナー１５も、図６または図７に示した防水インナー５と同様の作用効果を奏することができる。
【００３３】
ここで、図１に示した防水インナー５は、裏布材５Ａと表面機能層５Ｂとの２層構造であるが、本発明の防水インナーは、２層構造に限定されるものではなく、例えば、表面機能層５Ｂの他の表面に、織布、編布、不織布などの繊維材を張り合わせた３層構造としてもよい。この場合、繊維材が表面機能層５Ｂの破損を防ぐので、表面機能層５Ｂの防水性が損なわれることもなく、好ましい。
【００３４】
また、本発明の防水インナーは、前述した特許文献１に記載のように、靴底を貼り付けて形成してなるハンドメイド製法の防水靴など、公知の製法の防水靴にも適用することができる。
【符号の説明】
【００３５】
１  ：防水靴
２  ：表胛
３  ：中底
４  ：本底
５  ：防水インナー
５Ａ：裏布材
５Ｂ：表面機能層
６  ：足形外側パーツ
６Ａ：足甲縫合部
６Ｂ：踵外側縫合部
６Ｃ：爪先部
６Ｄ：爪先外側縫合部
６Ｅ：爪先内側縫合部
６Ｆ：足甲外脇縫合部
６Ｇ：足底前外側縫合部
６Ｈ：足底前内側縫合部
６Ｉ：足底後外側縫合部
６Ｊ：足挿入口外側
７  ：足形内側パーツ
７Ａ：足甲縫合部
７Ｂ：踵内側縫合部
７Ｃ：足底後内側縫合部
７Ｄ：足挿入口内側
８  ：縫合糸
９  ：シーリングテープ
【図１】
0005688928.tif 000002
【図２】
0005688928.tif 000003
【図３】
0005688928.tif 000004
【図４】
0005688928.tif 000005
【図５】
0005688928.tif 000006
【図６】
0005688928.tif 000007
【図７】
0005688928.tif 000008
【図８】
0005688928.tif 000009
【図９】
0005688928.tif 000010
【図１０】
0005688928.tif 000011
【図１１】
0005688928.tif 000012
【図１２】
0005688928.tif 000013
【図１３】
0005688928.tif 000014
【図１４】
0005688928.tif 000015
【図１５】
0005688928.tif 000016